(57)【要約】【課題】組織変更等に伴うアクセスルールの変更の簡便を図りながら、エンティティに関する情報を管理し得るシステムを提供する。【解決手段】本発明の情報管理システムによれば、エンティティｘｎ　及びｘｍ　の組織におけるポジションｐｉ　＝ｐ（ｘｍ　）及びｐｊ　＝ｐ（ｘｎ　）が判定される。また、ポジションｐｉ　に対するポジションｐｊ　の相対的なリレーションｒｉｊ＝ｒ（ｐｉ　，ｐｊ　）が判定される。そして、リレーションｒ（ｐｉ　，ｐｊ　）に応じたアクセスルールに従って、エンティティｘｍ　に関する情報のうち、クライアントｘｎ　がアクセス可能／不可能な情報が制御される。【選択図】　図２
2004126994.tif 000002
【特許請求の範囲】
【請求項１】
所定の情報源からネットワーク通信を利用してアクセス可能であって、組織を構成する複数のエンティティに関する情報を管理するシステムであって、
エンティティｘｎ　の端末からエンティティｘｎ　と、エンティティｘｎ　が情報アクセスを希望するエンティティｘｍ　とを特定するエンティティデータをアクセスするデータ取得手段と、
データ取得手段によりアクセスされたエンティティデータと、エンティティｘの組織におけるポジションｐ（ｘ）を特定するポジションデータとに基づき、エンティティｘｍ　及びｘｎ　の組織におけるポジションｐｉ　＝ｐ（ｘｍ　）及びｐｊ　＝ｐ（ｘｎ　）を判定するポジション判定手段と、
ポジション判定手段により判定されたポジションｐｉ　＝ｐ（ｘｍ　）及びｐｊ　＝ｐ（ｘｎ　）と、ポジションｐｉ　に対するポジションｐｊ　の相対的なリレーションｒｉｊ＝ｒ（ｐｉ　，ｐｊ　）を特定するリレーションデータとに基づき、ポジションｐｉ　に対するポジションｐｊ　の相対的リレーションｒｉｊ＝ｒ（ｐｉ　，ｐｊ　）を判定するリレーション判定手段と、
リレーション判定手段により判定されたリレーションｒ（ｐｉ　，ｐｊ　）と、エンティティｘｍ　のポジションｐ（ｘｍ　）に対するエンティティｘｎ　のポジションｐ（ｘｎ　）の相対的なリレーションｒ（ｐ（ｘｍ　），ｐ（ｘｎ　））に応じ、エンティティｘｍ　に関する情報のうちエンティティｘｎ　がアクセス可能／不可能な情報を特定するアクセスルールとに基づき、所定の情報源からエンティティｘｎ　の端末に提供されるエンティティｘｍ　に関する情報を制御する情報制御手段とを備えていることを特徴とする情報管理システム。
【請求項２】
前記ポジションデータ及びリレーションデータのうち少なくともいずれか一方の変更操作を可能とするデータ変更可能化手段を備えていることを特徴とする請求項１記載の情報管理システム。
【発明の詳細な説明】
【０００１】
【発明の属する技術分野】
本発明は、所定の情報源からネットワーク通信を利用してアクセス可能で、組織を構成する複数のエンティティに関する情報を管理するシステムに関する。
【０００２】
【従来の技術】
従来、情報へのアクセスを制御する方法が提案されている（例えば、特許文献１参照）。
【０００３】
会社等の組織において、情報の安全のため、エンティティｘｍ　に関する情報のうちエンティティｘｎ　がアクセス可能／不可能な情報を特定するアクセスルールが設定されている。
【０００４】
例えば、図５（ａ）のアクセスルールによれば、エンティティｘｎ　（ｎ＝１、２、‥、Ｎ）は、エンティティｘ１　に関する情報のうち、事項１、３‥　‥ｈに関する情報にアクセスできるが（○印参照）、事項２、‥ｇ‥に関する情報にはアクセスできない（×印参照）。また、エンティティｘｎ　は、エンティティｘ２　に関する情報のうち、事項２、３‥ｇ‥に関する情報にアクセスできるが（○印参照）、事項１、‥ｈに関する情報にはアクセスできない（×印参照）。
【０００５】
組織変更や配置換え等のため、エンティティの組織におけるポジションが変動した場合、アクセスルールを変更する必要がある。これは、新たに上司となったエンティティｘｎ　が、新たに部下となったエンティティｘｍ　に関する情報にアクセスできる等の態勢を整え、組織の円滑な機能を確保するためである。また、エンティティｘｎ　が、エンティティｘｋ　に関する情報へのアクセスが許可されるポジションから、当該情報へのアクセスが禁止されるポジションに変更された後、なおもエンティティｘｎ　がエンティティｘｋ　に関する情報にアクセスされる事態を防止するためである。
【０００６】
【特許文献１】
特開２００２−１４９４９４号公報
【０００７】
【発明が解決しようとする課題】
しかし、従来、図５（ｂ）に示すようにエンティティｘｎ　ごとに、エンティティｘ１　に関する情報のうち、事項１、３‥ｈに関する情報にアクセスできなくなり（斜線部参照）、エンティティｘ３　に関する情報のうち、事項１、３‥ｈに関する情報にアクセスできるようになり（同）、‥という手順により図５（ａ）に示すアクセスルールが変更されていた。即ち、アクセス主体となるエンティティｘｎ　ごとに、また、アクセス客体に係るエンティティｘｍ　ごとにアクセス可能な情報が変更設定されることでアクセスルールが変更されていた。
【０００８】
従って、アクセス主体となるエンティティｘｎ　の数（Ｎ）×アクセス客体に係るエンティティｘｍ　の数（Ｎ）×情報の事項数（ｇ）のスケールに応じた変更処理が必要となる。このため、アクセスルールの変更作業が煩雑で多大な手間・時間、さらにはコストを要するという不都合があった。この不都合は、組織の規模（〜エンティティの数）、さらには組織変更の規模が大きくなるほど顕著となっていた。
【０００９】
そこで、本発明は、組織変更等に伴うアクセスルールの変更の簡便を図りながら、エンティティに関する情報を管理し得るシステムを提供することを解決課題とする。
【００１０】
【課題を解決するための手段】
前記課題を解決するための本発明の情報管理システムは、エンティティｘｎ　の端末からエンティティｘｎ　と、エンティティｘｎ　が情報アクセスを希望するエンティティｘｍ　とを特定するエンティティデータをアクセスするデータ取得手段と、データ取得手段によりアクセスされたエンティティデータと、エンティティｘの組織におけるポジションｐ（ｘ）を特定するポジションデータとに基づき、エンティティｘｍ　及びｘｎ　の組織におけるポジションｐｉ　＝ｐ（ｘｍ　）及びｐｊ　＝ｐ（ｘｎ　）を判定するポジション判定手段と、ポジション判定手段により判定されたポジションｐｉ　＝ｐ（ｘｍ　）及びｐｊ　＝ｐ（ｘｎ　）と、ポジションｐｉ　に対するポジションｐｊ　の相対的なリレーションｒｉｊ＝ｒ（ｐｉ　，ｐｊ　）を特定するリレーションデータとに基づき、ポジションｐｉ　に対するポジションｐｊ　の相対的リレーションｒｉｊ＝ｒ（ｐｉ　，ｐｊ　）を判定するリレーション判定手段と、リレーション判定手段により判定されたリレーションｒ（ｐｉ　，ｐｊ　）と、エンティティｘｍ　のポジションｐ（ｘｍ　）に対するエンティティｘｎ　のポジションｐ（ｘｎ　）の相対的なリレーションｒ（ｐ（ｘｍ　），ｐ（ｘｎ　））に応じ、エンティティｘｍ　に関する情報のうちエンティティｘｎ　がアクセス可能／不可能な情報を特定するアクセスルールとに基づき、所定の情報源からエンティティｘｎ　の端末に提供されるエンティティｘｍ　に関する情報を制御する情報制御手段とを備えていることを特徴とする。
【００１１】
本発明によれば、アクセス主体となるエンティティｘｎ　のポジションｐ（ｘｎ　）及びアクセス客体に係るエンティティｘｍ　のポジションｐ（ｘｍ　）の相対的なリレーションｒ（ｐ（ｘｍ　），ｐ（ｘｎ　））に基づき、アクセスルールが設定されている。このため、エンティティｘｍ　のポジションｐ（ｘｍ　）と、エンティティｘｎ　のポジションｐ（ｘｎ　）とを特定するポジションデータさえ変更されれば、当該変更後の新たなリレーションｒ（ｐ（ｘｍ　），ｐ（ｘｎ　））に基づき、新たなアクセスルールが設定され得る。
【００１２】
また、直接の変更対象となるポジションの数は、エンティティの数Ｎ程度のスケールであり、従来の変更処理量を左右するスケールＮ×Ｎ×ｇと比較して非常に小さい。さらにポジションの数は、複数のエンティティが一のポジションに重複し得るため、エンティティの数Ｎよりもさらに小さく抑制され得る。
【００１３】
従って、アクセス主体であるエンティティｘｎ　ごとに、且つ、アクセス客体に係るエンティティｘｍ　ごとにアクセス可能な情報が変更されるという従来方法と比較し、著しく手間・時間、及びコストを節約し、簡易にアクセスルールを変更することができる。
【００１４】
また、本発明は、前記ポジションデータ及びリレーションデータのうち少なくともいずれか一方の変更操作を可能とするデータ変更可能化手段を備えていることを特徴とする。
【００１５】
本発明によれば、データ変更可能化手段による「ポジションデータ」の変更、必要があれば「リレーションデータ」の変更を通じてアクセスルールが変更設定され得る。
【００１６】
【発明の実施の形態】
本発明の情報管理システムの実施形態について図面を用いて説明する。
【００１７】
図１は本発明の情報管理システムの一実施形態の構成説明図であり、図２は本発明の情報管理システムの一実施形態の機能説明図、図３は本発明の情報管理システムの一実施形態におけるアクセスルールの説明図であり、図４は本発明の情報管理システムの適用対象となる組織の説明図である。
【００１８】
図１に示す情報管理システムは、クライアント（エンティティの端末）２０とネットワークを介して相互通信可能に接続されたサーバ１０により構成されている。
【００１９】
また、情報管理システムは、記憶装置１１と、データ取得ユニット１２と、ポジション判定ユニット１３と、リレーション判定ユニット１４と、情報制御ユニット１５と、情報提供ユニット１６と、情報変更可能化ユニット１７とを備えている。
【００２０】
記憶装置１１は「所定の情報源」として「エンティティに関する情報」を記憶する。なお、「所定の情報源」として、情報管理システムとは別個に存在するデータベース等が採用されてもよい。また、記憶装置１１は「ポジションデータ」、「リレーションデータ」及び「アクセスルール」を記憶する。
【００２１】
「エンティティに関する情報」は、エンティティｘ１　、ｘ２　、‥、ｘＮ　のそれぞれについて、事項１、２、‥、ｇに関する情報である。
【００２２】
「ポジションデータ」は、エンティティｘの組織におけるポジションｐ（ｘ）を特定する。
【００２３】
「リレーションデータ」は、ポジションｐｉ　に対するポジションｐｊ　の相対的なリレーションｒ（ｐｉ　，ｐｊ　）を特定する。
【００２４】
また、「リレーションデータ」は、ポジションの内部属性（ポジションに関する情報を構成する項目）の関係を判定する評価関数（「もし‥ならば結果は‥」というような記述形式をとる評価関数）により記述される。
【００２５】
例えば、組織におけるポジションｐｉ　に対するポジションｐｊ　のリレーションｒ（ｐｉ　，ｐｊ　）を評価する関数Ｆは次のように表される。
【００２６】
ｒ（ｐｉ　，ｐｊ　）＝Ｆ｛ｆ１　（Ａ１ｉ，Ａ１ｊ），ｆ２　（Ａ２ｉ，Ａ２ｊ），‥，ｆｋ　（Ａｋｉ，Ａｋｊ）｝
ここで、Ａ１ｉ，Ａ２ｉ，‥，Ａｋｉはポジションｐｉ　の内部属性（「部署」，　「職位」などの、ポジションに関する情報を構成する項目）であり、Ａ１ｊ，Ａ２ｊ，‥，Ａｋｊはポジションｐｊ　の内部属性であり、ｆ１ｉ（ｘ，ｙ），ｆ２ｉ（ｘ，ｙ），‥，ｆｋｉ（ｘ，ｙ）は項目Ａｉｊごとの関係評価関数である。
【００２７】
「アクセスルール」は、エンティティｘｍ　のポジションｐ（ｘｍ　）に対するエンティティｘｎ　のポジションｐ（ｘｎ　）の相対的なリレーションｒ（ｐ（ｘｍ　），ｐ（ｘｎ　））に応じ、エンティティｘｍ　に関する情報のうちエンティティｘｎ　がアクセス可能／不可能な情報を特定する。
【００２８】
この「アクセスルール」によれば、図３に示すようにエンティティｘｎ　はそのポジションｐｊ　とリレーションｒ１ｊにあるポジションｐ１　を有するエンティティｘｍ　に関する情報のうち、事項１、２、‥ｇ‥ｈに関する情報にアクセスできる一方（○印参照）、事項３‥に関する情報にアクセスできない（×印参照）。また、エンティティｘｎ　はそのポジションｐｊ　とリレーションｒｉｊにあるポジションｐｉ　を有するエンティティｘｍ　に関する情報のうち、事項１、２、３‥に関する情報にアクセスできる一方（○印参照）、事項‥ｇ‥ｈに関する情報にアクセスできない（×印参照）。
【００２９】
データ取得ユニット１２は、エンティティｘｎ　のクライアント２０からエンティティｘｎ　と、エンティティｘｎ　が情報アクセスを希望するエンティティｘｍ　とを特定する「エンティティデータ」を取得する。
【００３０】
ポジション判定ユニット１３は、データ取得ユニット１２によりアクセスされた「エンティティデータ」と、記憶装置１１により記憶されている「ポジションデータ」とに基づき、エンティティｘｍ　及びｘｎ　の組織におけるポジションｐｉ　＝ｐ（ｘｍ　）及びｐｊ　＝ｐ（ｘｎ　）を判定する。
【００３１】
リレーション判定手段１４は、ポジション判定ユニット１３により判定されたポジションｐｉ　＝ｐ（ｘｍ　）及びｐｊ　＝ｐ（ｘｎ　）と、記憶装置１１により記憶されている「リレーションデータ」とに基づき、ポジションｐｉ　に対するポジションｐｊ　の相対的リレーションｒ（ｐｉ　，ｐｊ　）を判定する。
【００３２】
情報制御ユニット１５は、リレーション判定ユニット１４により判定されたリレーションｒ（ｐｉ　，ｐｊ　）と、記憶装置１１により記憶されている「アクセスルール」とに基づき、記憶装置１１（所定の情報源）からエンティティｘｎ　のクライアント２０に提供されるエンティティｘｍ　に関する情報を抽出する。
【００３３】
情報提供ユニット１６は情報制御ユニット１５により抽出された「エンティティｘｍ　に関する情報」をエンティティｘｎ　のクライアント２０にネットワークを介して提供する。
【００３４】
データ変更可能化ユニット１７は記憶装置１１により記憶されているエンティティの「ポジションデータ」の変更を可能とする。具体的には、データ変更可能化ユニット１７はモニタや、キーボード等（図示略）を通じた任意のエンティティｘによる「ポジションデータ」の変更設定を可能とする。
【００３５】
なお、データ変更可能化ユニット１７によりアプリケーションソフトがクライアント２０にダウンロードされ、クライアント２０におけるモニタ及びキーボード等（図示略）を通じた任意のエンティティによるポジションデータの変更設定が可能とされてもよい。また、データ変更可能化ユニット１７により、「ポジションデータ」に代え、又は加えて「リレーションデータ」が変更設定可能とされていてもよい。
【００３６】
図１の情報管理システムの機能について図２及び図３を用いて説明する。
【００３７】
まず、エンティティｘｎ　のクライアント２０から、エンティティｘｎ　と、エンティティｎが情報アクセスを希望するエンティティｍとを特定する「エンティティデータ」がネットワークを介してサーバ１０に送信される（図２矢印▲１▼）。
【００３８】
次に、ポジション判定ユニット１３がエンティティデータ（図２矢印▲１▼参照）と、記憶装置１１により記憶されている「ポジションデータ」とに基づき、エンティティｘｍ　及びｘｎ　のポジションｐｉ　＝ｐ（ｘｍ　）及びｐｊ　＝ｐ（ｘｎ　）を判定する（図２ｓ１）。
【００３９】
続いて、リレーション判定ユニット１４がポジション判定ユニット１３により判定されたポジションと、記憶装置１１により記憶されている「リレーションデータ」とに基づき、ポジションｐｉ　に対するポジションｐｊ　の組織内における相対的なリレーションｒｉｊ＝ｒ（ｐｉ　，ｐｊ　）を判定する（図２ｓ２）。
【００４０】
また、情報制御ユニット１５がリレーション判定ユニット１４により判定されたリレーションｒｉｊと、記憶装置１１により記憶されている「アクセスルール」とに基づき、エンティティｘｎ　によりアクセス可能なエンティティｘｍ　に関する情報を記憶装置１１から抽出する（図２ｓ３）。
【００４１】
そして、情報提供ユニット１６が情報制御ユニット１５により抽出された「エンティティｘｍ　に関する情報」をエンティティｘｎ　のクライアント２０にネットワークを介して送信する（図２矢印▲２▼）。
【００４２】
本発明によれば、前述のようにエンティティｘｎ　はそのポジションｐｊ　とリレーションｒ１ｊにあるポジションｐ１　を有するエンティティｘｍ　に関する情報のうち、事項１、２、‥ｇ‥ｈに関する情報にアクセスできる一方、事項３‥に関する情報にアクセスできない（図３参照）。また、エンティティｘｎ　はそのポジションｐｊ　とリレーションｒｉｊにあるポジションｐｉ　を有するエンティティｘｍ　に関する情報のうち、事項１、２、３‥に関する情報にアクセスできる一方、事項‥ｇ‥ｈに関する情報にアクセスできない（同）。
【００４３】
このようにアクセス主体となるエンティティｘｎ　のポジションｐ（ｘｎ　）及びアクセス客体に係るエンティティｘｍ　のポジションｐ（ｘｍ　）の相対的なリレーションｒ（ｐ（ｘｍ　），ｐ（ｘｎ　））に基づき、アクセスルールが設定されている。
【００４４】
このため、エンティティｘｍ　のポジションｐ（ｘｍ　）と、エンティティｘｎ　のポジションｐ（ｘｎ　）とを特定するポジションデータさえ変更されれば、当該変更後の新たなリレーションｒ（ｐ（ｘｍ　），ｐ（ｘｎ　））に基づき、新たなアクセスルールが設定され得る。
【００４５】
例えば、エンティティｘｍ　のポジションｐ（ｘｍ　）及びエンティティｘｎ　のポジションｐ（ｘｎ　）が変更され、リレーションｒ（ｐ（ｘｍ　），ｐ（ｘｎ　））が図３に矢印で示すように「ｒｉｊ」から「ｒ３ｊ」に変動したとする。この場合、エンティティｘｎ　はエンティティｘｍ　に関する情報のうち、事項１、３‥に関する情報へのアクセスができなくなり、事項‥ｇ‥ｈに関する情報にアクセスできるようになる。
【００４６】
また、変更対象となるポジションの数ｋは、エンティティの数Ｎ程度のスケールであり、従来の変更処理量を左右するスケールＮ×Ｎ×ｇと比較して非常に小さい。さらにポジションの数ｋは、複数のエンティティが一のポジションに重複し得るため、エンティティの数Ｎよりもさらに小さく抑制され得る。
【００４７】
従って、アクセス主体であるエンティティｘｎ　ごとに、且つ、アクセス客体に係るエンティティｘｍ　ごとにアクセス可能な情報が変更されるという従来方法と比較し、著しく手間・時間、及びコストを節約し、簡易にアクセスルールを変更することができる。
【００４８】
ここで、本発明の情報管理システムが図４に示す会社組織の人事にあてはめられた場合について考察する。
【００４９】
図４に示す組織においては、複数の部署１００、２００、３００、‥が上位から順に階層的に区分されている。また、部署２００において職位は、リーダー（１名）２１０と、リーダー以外の職位２２０とに区分されている。また、リーダー以外の職位２２０は、職位２２１、２２２、２２３、‥と上位から順に階層的に区分されている。部署１００、３００、‥における職位も部署２００と同様に区分されている。
【００５０】
（１）部署２００において職位２２０（２２１、２２２、‥）にあるエンティティｘｎ　からみて、職位２１０にあるエンティティｘｍ　はリレーション「直接上司」に該当する。これは他の部署１００、３００、‥においても同様である。また、職位２１０（又は３１０）にあるエンティティｘｎ　ｘｎ　からみて、部署１００の職位１１０（又は２１０）にあるエンティティｘｍ　はリレーション「直接上司」に該当する。
【００５１】
（２）一方、部署２００において職位２１０にあるエンティティｘｎ　からみて、職位２２０にあるエンティティｘｍ　はリレーション「直接部下」に該当する。これは他の部署１００、３００、‥においても同様である。また、部署１００の職位１１０（又は２１０）にあるエンティティｘｎ　からみて、部署２００の職位２１０（又は３１０）にあるエンティティｘｍ　はリレーション「直接部下」に該当する。
【００５２】
（３）さらに部署２００において職位２２２、２２３、‥にあるエンティティｘｎ　からみて、職位２２１にあるエンティティｘｍ　はリレーション「同一部署に所属する上位エンティティ」に該当する。これは他の部署１００、３００、‥においても同様である。
【００５３】
（４）また、部署２００において職位２２２にあるエンティティｘｎ　からみて、職位２２２にあるエンティティｘｍ　はリレーション「同一部署に所属する等位エンティティ」に該当する。これも他の部署１００、３００、‥においても同様である。
【００５４】
（５）さらに部署２００において職位２２１にあるエンティティｘｎ　からみて、職位２２２、２２３、‥にあるエンティティｘｍ　はリレーション「同一部署に所属する下位エンティティ」に該当する。これは他の部署１００、３００、‥においても同様である。
【００５５】
（６）また、職位２２０にあるエンティティｘｎ　からみて、職位１１０（＝自己の所属する部署２００の上位部署１００のリーダー）にあるエンティティｘｍ　はリレーション「間接上司」に該当する。職位３２０にあるエンティティｘｎ　からみて、職位２１０（＝自己の所属する部署３００の上位部署２００のリーダー）にあるエンティティｘｍ　はリレーション「間接上司」に該当する。
【００５６】
（７）一方、職位１１０にあるエンティティｘｎ　からみて、職位２２０（＝自己の所属する部署１００の下位部署２００のリーダー以外のポジション）にあるエンティティｘｍ　はリレーション「間接部下」に該当する。また、職位２１０にあるエンティティｘｎ　からみて、職位３２０（＝自己の所属する部署２００の下位部署３００のリーダー以外のポジション）にあるエンティティｘｍ　はリレーション「間接部下」に該当する。
【００５７】
（８）なお、上記以外のエンティティのリレーションは一括されてもよく、複数に区分されていてもよい。
【００５８】
例えば、エンティティｘｎ　の職位が２２０から２１０に変動し（部署はそのまま）、エンティティｘｍ　の部署が１００、職位が２１０から１２０に変動したとする。この場合、記憶装置１１に記憶されている「エンティティｘｎ　は部署２００、職位２２０、エンティティｘｍ　は部署２００、職位２１０、‥」というポジションデータが、当該ポジション変動に伴い、情報変更可能化ユニット１７により「エンティティｘｎ　は部署２００、職位２１０、エンティティｘｍ　は部署１００、職位１２０、‥」というポジションデータに変更される。
【００５９】
これにより、ポジション変動前はエンティティｘｎ　及びｍのアクセスルールは「直接上司」「直接部下」というリレーションに応じて設定されていたのが、ポジション変動後はエンティティｘｎ　及びｘｎ　のアクセスルールは「間接上司」「間接部下」というリレーションに応じて設定されることになる。
【００６０】
多数のエンティティのポジションが変動した場合、このように記憶装置１１に記憶されているエンティティのポジションデータが変更されるだけで、アクセスルールを変更するのは、前記のように従来方法（図５参照）と比較して非常に簡易である。
【図面の簡単な説明】
【図１】本発明の情報管理システムの一実施形態の構成説明図
【図２】本発明の情報管理システムの一実施形態の機能説明図
【図３】本発明の情報管理システムの一実施形態におけるアクセスルールの説明図
【図４】本発明の情報管理システムの適用対象となる組織の説明図
【図５】従来のアクセスルールの変更方法の説明図
【符号の説明】
１０‥サーバ、１１‥記憶装置、１２‥データ取得ユニット、１３‥ポジション判定ユニット、１４‥リレーション判定ユニット、１５‥情報制御ユニット、１６‥情報提供ユニット、１７‥データ変更可能化ユニット、２０‥クライアント（エンティティの端末）
【図１】
2004126994.tif 000003
【図２】
2004126994.tif 000004
【図３】
2004126994.tif 000005
【図４】
2004126994.tif 000006
【図５】
2004126994.tif 000007